(57)【要約】【課題】  作動ハンドルに直接に補助ブラシを着脱できるよう構造が改善されたサイクロン掃除機を提供する。【解決手段】  作動ハンドルに直接に補助ブラシを連結できるサイクロン掃除機を提供する。本発明に係るサイクロン掃除機は、掃除機本体と、掃除機本体から延設される吸込流路上に設けられ掃除動作を操作する作動ハンドルと、作動ハンドルと掃除機本体との間に設けられゴミを収集するサイクロン集塵装置と、前記作動ハンドルと連結され被掃除面でゴミを吸い込むブラシとを含む。【選択図】      図２
2004337585.tif 000002
【特許請求の範囲】
【請求項１】
掃除機本体と、
該掃除機本体から延設されるフレキシブルホース組立体と、
一端は前記フレキシブルホース組立体を介して掃除機本体に連結され、他端は被掃除面と接するブラシが装着された延長管と連結される作動ハンドルと、
前記掃除機本体と前記作動ハンドルとの間に設けられゴミを収集するサイクロン集塵装置と、
前記作動ハンドルと連結され、被掃除面でゴミを吸い込むブラシとを含むことを特徴とするサイクロン掃除機。
【請求項２】
前記サイクロン集塵装置は、
前記作動ハンドルと前記フレキシブルホース組立体との間に設けられることを特徴とする請求項１に記載のサイクロン掃除機。
【請求項３】
前記フレキシブルホース組立体は、
前記作動ハンドルと連結される第１フレキシブルホースと、前記掃除機本体と連結される第２フレキシブルホースとからなり、
前記第１及び第２フレキシブルホースの間に前記サイクロン集塵装置が設けられることを特徴とする請求項１に記載のサイクロン掃除機。
【請求項４】
前記サイクロン集塵装置は、
前記作動ハンドルと連通する吸気口と前記掃除機本体と連通する排気口とが形成され、流入される空気について渦巻き気流を形成するサイクロンボディと、
ロッキングユニットによって前記サイクロンボディに着脱自在に結合されるゴミカップと、
該ゴミカップに一体に形成される第１逆流防止部材と、
前記サイクロンボディの内部に排気口から下側に延設され、多数の微細通過孔が形成されるゴミ分離用グリルと、
該ゴミ分離用グリルの下部面に形成される第２逆流防止部材とを含むことを特徴とする請求項１に記載のサイクロン掃除機。
【請求項５】
前記ロッキングユニットは、
前記作動ハンドルに突出形成されるヒンジ突起と、
該ヒンジ突起に対応するよう前記ゴミカップに貫通形成されるヒンジ孔とを含むことを特徴とする請求項４に記載のサイクロン掃除機。
【請求項６】
前記ゴミカップは、
前記ヒンジ突起の軸方向と鉛直の平面において、前記ヒンジ突起を中心にする仮想の円弧曲線と重畳するよう前記サイクロンボディとの結合端部が形成されることを特徴とする請求項５に記載のサイクロン掃除機。
【請求項７】
掃除機本体と、
該掃除機本体から延設されるフレキシブルホース組立体と、
一端は前記フレキシブルホース組立体を介して掃除機本体に連結され、他端は被掃除面と接するブラシが装着される延長管と連結される作動ハンドルと、
一端は前記フレキシブルホース組立体に連結され、他端は掃除機本体に連結されるサイクロン集塵装置と、
前記作動ハンドルと連結され、被掃除面でゴミを吸い込むブラシとを含むことを特徴とするサイクロン掃除機。
【請求項８】
前記サイクロン集塵装置は、
前記フレキシブルホース組立体と連通する吸気口と前記掃除機本体と連通する排気口とが形成され、流入される空気について渦巻き気流を形成するサイクロンボディと、
ロッキングユニットによって前記サイクロンボディに着脱自在に結合されるゴミカップと、
前記サイクロンボディの内部に排気口から下側に延設され、多数の微細通過孔が形成されるゴミ分離用グリルと、
該ゴミ分離用グリルの下部面に形成される逆流防止部材とを含むことを特徴とする請求項７に記載のサイクロン掃除機。
【請求項９】
前記サイクロン集塵装置は、
前記吸気口及び排気口の中心軸が同軸的に設けられることを特徴とする請求項８に記載のサイクロン掃除機。
【請求項１０】
前記サイクロン集塵装置は、
前記吸気口及び排気口の中心軸が異軸に設けられることを特徴とする請求項８に記載のサイクロン掃除機。
【請求項１１】
前記サイクロン集塵装置は、
前記吸気口及び排気口の間の流路が折曲形成されることを特徴とする請求項１０に記載のサイクロン掃除機。
【発明の詳細な説明】
【技術分野】
【０００１】
本発明はサイクロン掃除機に係り、さらに詳しくは作動ハンドルに多類の補助ブラシを直接に連結して使用できるサイクロン掃除機に関する。
【背景技術】
【０００２】
サイクロンは、遠心力を用いて流体内の粒子を分離する装置であって、構造が単純であり高温、高圧に耐えられる長所のため、だいぶ前から産業現場で集塵装置として多用されてきており、真空掃除機にも用いられている。
【０００３】
サイクロン集塵装置を有する真空掃除機は、図１に示した通り、掃除機のブラシ１０から吸い込まれる空気中に含まれた割りと大粒子のゴミをサイクロン集塵装置２０で１次的に濾して収集することによって、これらゴミが掃除機本体３０に装着された紙フィルターに収集されなくする。従って、紙フィルターの取り替え周期を延せ、紙フィルターがゴミで一杯になることから引き起こされる掃除効率の低下及びモータの過負荷を防げる。
【０００４】
前述したようなサイクロン集塵装置２０を有する真空掃除機は、掃除機のブラシ１０を通して吸い込まれる各種ゴミが含まれた空気をサイクロン集塵装置２０の円筒形ボディ２１に斜め方向に流入させることによって、これにより発生する空気の渦巻きによって空気中に含まれた各種ゴミが遠心力の作用によって分離されゴミカップ２２に収集されるよう構成されている。ここで、ゴミが除去された空気はゴミカップ２２の底面で反転上昇運動を始めて一層小さい回転半径で回転及び上昇しつつサイクロン集塵装置２０の外部、すなわち作動ハンドル２３及びフレキシブルホース組立体２４を通して掃除機本体３０に排出される。
【０００５】
しかし、従来のサイクロン集塵装置２０は延長管１１と作動ハンドル２３との間に設けられるため、クラビスツールやダスティングのような補助ブラシ(図示せず)を作動ハンドル２３に直接に連結する場合、サイクロン集塵装置２０が被掃除面と干渉されるため掃除が容易でなく、補助ブラシを装着するためには一定長さ以上の延長管が作動ハンドルに連結されるべき問題点がある。
【特許文献１】韓国特許第０３１７１１７号
【特許文献２】韓国特許第０３８２４５１号
【発明の開示】
【発明が解決しようとする課題】
【０００６】
本発明は前述したような問題点を考慮して案出されたもので、その目的は作動ハンドルに直接に補助ブラシを着脱できるよう構造が改善されたサイクロン掃除機を提供することにある。
【課題を解決するための手段】
【０００７】
前述したような目的を達成するために本発明に係るサイクロン掃除機は、掃除機本体と、該掃除機本体から延設されるフレキシブルホース組立体と、一端は前記フレキシブルホース組立体を介して掃除機本体に連結され、他端は被掃除面と接するブラシが装着された延長管と連結される作動ハンドルと、前記掃除機本体と前記作動ハンドルとの間に設けられゴミを収集するサイクロン集塵装置、及び前記作動ハンドルと連結され被掃除面でゴミを吸い込むブラシを含むことを特徴とする。
【０００８】
本発明の望ましい第１実施例によれば、前記サイクロン集塵装置は前記作動ハンドルと前記フレキシブルホース組立体との間に設けられることが良い。
【０００９】
また、本発明の望ましい第２実施例によれば、前記フレキシブルホース組立体は、前記作動ハンドルと連結される第１フレキシブルホースと、前記掃除機本体と連結される第２フレキシブルホースで構成され、この場合前記第１及び第２フレキシブルホースの間に前記サイクロン集塵装置が設けられる。
【００１０】
一方、前記サイクロン集塵装置は、前記作動ハンドルと連通する吸気口と、前記掃除機本体と連通する排気口が形成され、流入される空気について渦巻き気流を形成するサイクロンボディと、ロッキングユニットによって前記サイクロンボディに着脱自在に結合されるゴミカップと、該ゴミカップに一体に形成された第１逆流防止部材と、前記サイクロンボディの内部に排気口から下側に延設され、多数の微細通過孔が形成されるゴミ分離用グリル、及び前記ゴミ分離用グリルの下部面に形成される第２逆流防止部材を含むことが望ましい。
【００１１】
そして、前記ロッキングユニットは、前記作動ハンドルに突出形成されたヒンジ突起と、該ヒンジ突起に対応するよう前記ゴミカップに貫通形成されたヒンジ孔を含むことが望ましい。
【００１２】
また、前記ゴミカップは、前記ヒンジ突起の軸方向と鉛直の平面で、前記ヒンジ突起を中心にする仮想の円弧曲線と重畳するよう前記サイクロンボディとの結合端部が形成できる。
【００１３】
そして、本発明の第３実施例によるサイクロン掃除機は、掃除機本体と、該掃除機本体から延設されるフレキシブルホース組立体と、一端は前記フレキシブルホース組立体を通して掃除機本体に連結され、他端は被掃除面と接するブラシが装着された延長管と連結される作動ハンドルと、一端は前記フレキシブルホース組立体に連結され、他端は掃除機本体に連結されるサイクロン集塵装置、及び前記作動ハンドルと連結され、被掃除面でゴミを吸い込むブラシを含むことができる。
【００１４】
この際、前記サイクロン集塵装置は、前記フレキシブルホース組立体と連通される吸気口と、前記掃除機本体と連通される排気口が形成され、流入される空気について渦巻き気流を形成するサイクロンボディと、ロッキングユニットによって前記サイクロンボディに着脱自在に結合されるゴミカップと、前記サイクロンボディの内部に排気口から下側に延設され、多数の微細通過孔が形成されるゴミ分離用グリルと、該ゴミ分離用グリルの下部面に形成される逆流防止部材を含むことが良い。
【００１５】
また、本発明の望ましい第４実施例によるサイクロン掃除機は、前記サイクロン集塵装置の前記吸気口及び排気口の中心軸が同軸的に設けられる。
【００１６】
そして、本発明の望ましい第５実施例によるサイクロン掃除機は、前記サイクロン集塵装置の前記吸気口及び排気口の中心軸が異軸に設けられる。
【００１７】
もし、前記吸気口及び排気口の中心軸が異軸に設けられる場合、前記サイクロン集塵装置は前記吸気口及び排気口の間の流路が折曲形成されることが望ましい。
【発明の効果】
【００１８】
以上述べた通り、本発明に係るサイクロン掃除機によれば、作動ハンドルに直接に補助ブラシを連結して使用できるため、延長管の重さによるユーザの不便を解消できる。
【発明を実施するための最良の形態】
【００１９】
以下、添付した図面に基づき本発明の望ましい実施例を説明すれば次の通りである。
【００２０】
図２ないし図４は、サイクロン集塵装置が作動ハンドルとフレキシブルホース組立体との間に設けられた状態を示す図である。参考に、従来技術と目的と構成が同一な部分については同様な参照符号を付して説明する。
【実施例１】
【００２１】
図２及び図３は本発明の望ましい第１実施例を示す図である。サイクロン集塵装置１００は、サイクロンボディ１１０と、ゴミカップ１２０と、ゴミ分離用グリル１３０及び第１及び第２逆流防止部材１４０、１５０を含む。
【００２２】
サイクロンボディ１１０は、作動ハンドル２３と連通される吸気口１１１と、前記掃除機本体と連通される排気口１１２を含み、流入される空気について渦巻き気流を形成する。
【００２３】
ゴミカップ１２０は、ロッキングユニット２００によってサイクロンボディ１１０に着脱自在に結合される。ロッキングユニット２００については後述する。
【００２４】
第１逆流防止部材１４０は、ゴミカップ１２０に一体に形成され、サイクロンボディ１１０に収集されるゴミが掃除機本体３０に流入されることを１次的に防止する役割を果たす。
【００２５】
ゴミ分離用グリル１３０は、サイクロンボディ１１０の内部に排気口１１２から下側に延設され、多数の微細通過孔１３１が形成される。
【００２６】
第２逆流防止部材１５０は、ゴミ分離用グリル１３０の下部面に形成され、第１逆流防止部材１４０で遮断できなかったゴミを２次的に分離する役割を果たす。
【００２７】
このように構成されたサイクロン集塵装置１００は、作動ハンドル２３に一端、すなわちサイクロン集塵装置１００の吸気口１１１が連結され、フレキシブルホース組立体２４と他端、すなわち排気口１１２が連結される。
【００２８】
一方、サイクロン集塵装置１００は作動ハンドル２３とフレキシブルホース組立体２４との間に設けられるため、ゴミカップ１２０の分離時作動ハンドル２３に干渉されうる。従って、ゴミカップ１２０は、ロッキングユニット２００により作動ハンドル２３の干渉を排除した状態でサイクロンボディ１１０に着脱自在に結合される。
【００２９】
ロッキングユニット２００は、作動ハンドル２３に突出形成されたヒンジ突起２１０と、ヒンジ突起２１０に対応するようゴミカップ１２０に貫通形成されたヒンジ孔２２０を含む。
【００３０】
ヒンジ突起２１０は、作動ハンドル２３の下部面に突出形成されることが望ましいが、これに限定されず、必要に応じて側面部に設けられることも可能である。
【００３１】
そして、ゴミカップ１２０は、ヒンジ突起２１０の軸方向と鉛直の平面において、ヒンジ突起２１０を中心にする仮想の円弧曲線と重畳されるようサイクロンボディ１１０との結合端部が形成できる。
【００３２】
この場合、ゴミカップ１２０がヒンジ突起２１０を中心に回転する際、ゴミ分離用グリル１３０がゴミカップ１２０を干渉しないよう、図３に示された通り、前記結合端部の内側に設けられることが望ましい。
【実施例２】
【００３３】
一方、図４は本発明の望ましい第２実施例を示した図であって、前述したように構成されたサイクロン集塵装置１００がフレキシブルホース組立体２４との間に設けられることを示す図である。
【００３４】
この場合、フレキシブルホース組立体２４は、一端が作動ハンドル２３と連結される第１フレキシブルホース組立体２４ａと、一端が掃除機本体３０と連結される第２フレキシブルホース組立体２４ｂとに構成され、サイクロン集塵装置１００が第１及び第２フレキシブルホース組立体２４ａ、２４ｂの間に設けられる。
【００３５】
従って、ゴミカップ１２０は、ヒンジ突起２１０及びヒンジ孔２２０で構成されるロッキングユニット２００によってサイクロンボディ１１０に着脱自在に結合されることも可能であるが、本出願人が出願したものとして韓国公開特許２００１-００４６１３８号に開示されているような回転着脱方式も適用できる。
【実施例３】
【００３６】
一方、図５は本発明の望ましい第３実施例を示す図であって、前述したように構成されたサイクロン集塵装置１００が掃除機本体３０に連結されたものである。この場合、サイクロン集塵装置１００はフレキシブルホース組立体２４の掃除機本体連結部にサイクロン集塵装置１００の吸気口１１１が連結され、掃除機本体３０と他端、すなわち排気口１１２が連結される。この場合、サイクロン集塵装置１００が掃除機本体３０に固定されるため、ユーザは一層手軽く掃除作業を行える。
【実施例４】
【００３７】
そして、図６は本発明の第４実施例を示す図である。吸気口及び排気口３１１、３１２の中心軸が同じ軸線上にくるよう構成され、サイクロン集塵装置３００はフレキシブルホース組立体２４と連結される吸気口３１１と、掃除機本体３０の本体吸込口３１と連結される排気口３１２を含むサイクロンボディ３１０と、渦巻き気流によって収集された塵埃を分離収集し、掃除機本体３０の上部面に位置するようサイクロンボディ３１０に着脱自在に結合されるゴミカップ３２０を含む。
【実施例５】
【００３８】
そして、図７は本発明の第５実施例を示す図である。
【００３９】
サイクロンボディ３１０は、示した通り、吸気口及び流出口３１１、３１２の中心軸が相異なる軸線上にくるよう備えられ、サイクロン集塵装置３００は、フレキシブルホース組立体２４と連結される吸気口３１１と、掃除機本体３０の本体吸込口３１と連結される排気口３１２を含むサイクロンボディ３１０と、渦巻き気流によって収集された塵埃を分離収集し、掃除機本体３０の上部面に位置するようサイクロンボディ３１０に着脱自在に結合されるゴミカップ３２０を含む。
【００４０】
以下、本発明に係るサイクロン掃除機の動作を添付した図面と共に説明する。
【００４１】
電源が印加され、吸込モータの駆動によって吸込力が発生すれば、被掃除面に沿ってゴミを吸い込むブラシ１０を通して塵埃などのゴミを含む空気が流動して作動ハンドル２３を経て、サイクロン集塵装置１００の内部に吸い込まれる。このような吸込空気は、サイクロンボディ１１０の吸気口１１１に吸い込まれ、所定の空気流路形成体(図示せず)によって流動案内され下向きに渦巻き気流を形成する。
【００４２】
このような渦巻き気流の回転力が増大すれば、空気中に混合された微細塵埃までも回転する気流から分離でき、分離された塵埃はサイクロンボディ１１０の内壁面に沿って下降してゴミカップ１２０の下部に収集される。
【００４３】
塵埃が分離された下向きの渦巻き気流は、サイクロンボディ１１０の底面で反転上昇運動を始めて、相対的に小さい回転半径で回転しつつ上昇気流を形成する。この際、下向きの渦巻き気流の回転力が増大されれば、サイクロンボディ１１０内の下部領域で、反転上昇する気流が混合されることによって発生できる乱流現象が除去される。従って、空気中に混合された塵埃をさらに効果的に分離できる渦巻き気流を形成することができる。このような上昇気流はゴミ分離用グリル１３０を通過した後、フレキシブルホース組立体２４を通して掃除機本体(図１の３０)の集塵室(図示せず)に流入される。
【００４４】
一方、サイクロンボディ１１０に収集されたゴミなども上昇気流に便乗して上昇する。しかし、粒子サイズの大きいゴミなどはゴミ分離用グリル１３０を通過できず、再びサイクロンボディ１１０の下部に落下する。
【００４５】
その後、掃除機本体３０の集塵室でなされる塵埃の収集及び捕集過程は一般の真空掃除機の塵埃収集及び捕集過程と同様である。
【００４６】
従って、ユーザが狭い間隙などを掃除するためにクラビスのような間隙掃除用補助ブラシ４０を使用する場合、延長管１１の終端ではなく作動ハンドル２３にも直接に連結して使用できる。
【００４７】
以上、本発明を本発明の原理を例示するための望ましい実施例と関連して説明し示したが、本発明はそのように示しかつ説明されたそのままの構成及び作用に限らない。かえって、特許請求の範囲の思想及び範疇を逸脱せず多様な変更及び修正が可能であることを当業者らはよく理解できよう。従って、そのような全ての適切な変更及び修正と均等物も本発明の範囲に属すると見なされるべきである。
【産業上の利用可能性】
【００４８】
本発明に係るサイクロン掃除機は室内で使われ、サイクロン方式によってフィルタ取替えなしで永久的に使い得る集塵装置を提供する。さらに、作動ハンドルに直接ブラシを連結して使用できるためユーザが隙間などを容易く掃除できる。
【図面の簡単な説明】
【００４９】
【図１】従来の技術によるサイクロン集塵装置を有する真空掃除機を示す図である。
【図２】本発明の第１実施例であって、サイクロン集塵装置が作動ハンドルとフレキシブルホース組立体との間に設けられることを示す図である。
【図３】図２のサイクロン集塵装置のゴミカップの装着構造を示す平面図である。
【図４】本発明の第２実施例であって、サイクロン集塵装置がフレキシブルホース組立体の中間に設けられることを示す図である。
【図５】本発明の第３実施例による真空掃除機であって、サイクロン集塵装置が真空掃除機本体とフレキシブルホースとの間に介在されることを示す斜視図である。
【図６】本発明の第４実施例に係る真空掃除機を示す図である。
【図７】本発明の第５実施例に係る真空掃除機を示す図である。
【符号の説明】
【００５０】
１０    ブラシ
１１    延長管
２４    フレキシブルホース
３０    掃除機本体
４０    補助ブラシ
１００、３００  サイクロン集塵装置
１１０、３１０  サイクロンボディ
１１１、３１１  吸気口
１１２、３１２  排気口
１２０、３２０  ゴミカップ
１３０  ゴミ分離用グリル
１４０、１５０  第１及び第２逆流防止部材
２００  ロッキングユニット
２１０  ヒンジ突起
２２０  ヒンジ孔
【図１】
2004337585.tif 000003
【図２】
2004337585.tif 000004
【図３】
2004337585.tif 000005
【図４】
2004337585.tif 000006
【図５】
2004337585.tif 000007
【図６】
2004337585.tif 000008
【図７】
2004337585.tif 000009